(57)【要約】【課題】電子タグセキュリティ装置の提供。【解決手段】電子タグセキュリティ装置であって、セキュリティ作動状態とセキュリティ解除状態を備えた出入管理監視制御モジュールと、電子タグユニットを検出するための検出エリアをそれぞれ備えた複数の検出モジュールと、前記出入管理監視制御モジュール及び前記複数の検出モジュールと電気的に接続され、前記検出モジュールにより前記電子タグユニットが前記検出エリア内にあることが検出されると、前記出入管理監視制御モジュールを駆動して前記セキュリティ解除状態にさせ、前記検出モジュールにより前記検出エリアで前記電子タグユニットが検出されないと、前記出入管理監視制御モジュールを制御して前記セキュリティ作動状態にする、中央制御モジュールを含むことを特徴とする。【選択図】図１
2016110615.tif 000002
【特許請求の範囲】
【請求項１】
電子タグセキュリティ装置であって、出入管理監視制御モジュールと、複数の検出モジュールと、中央制御モジュールとを含み、
前記出入管理監視制御モジュールが、セキュリティ作動状態を備え、
前記複数の検出モジュールが、それぞれ検出エリアを備え、前記検出エリア内で電子タグユニットを検出し、
前記中央制御モジュールが、前記出入管理監視制御モジュール及び前記検出モジュールと電気的に接続され、前記検出モジュールにより前記検出エリアで前記電子タグユニットが検出されないと、前記出入管理監視制御モジュールを制御して前記セキュリティ作動状態にし、
そのうち、前記中央制御モジュールが通知ユニットを含み、前記電子タグユニットが前記検出エリア外から前記検出エリア内に、または前記検出エリアから前記検出エリア外に移動されると、前記通知ユニットが通知メッセージを電子端末またはクラウドホストに発信することを特徴とする、
電子タグセキュリティ装置。
【請求項２】
前記出入管理監視制御モジュールが、制御ユニットとドアロックユニットを含み、前記出入管理監視制御モジュールが、セキュリティ解除状態を有し、前記出入管理監視制御モジュールが前記セキュリティ解除状態にあり、かつ前記ドアロックユニットがロック状態にある状況で、前記電子タグユニットがドア開放位置にあることを前記検出モジュールが検出すると、前記制御ユニットが前記ドアロックユニットを駆動して前記ロック状態を解除させることを特徴とする、請求項１に記載の電子タグセキュリティ装置。
【請求項３】
前記各検出モジュールが電子タグ検出ユニットと体温センサーユニットを含み、電子タグ検出ユニットが前記電子タグユニットを検出し、前記体温センサーユニットが人体の体温を検出し、前記出入管理監視制御モジュールがセキュリティ解除状態にあるとき、前記電子タグ検出ユニットにより前記電子タグユニットが前記検出エリアから前記検出エリア外に移動されたことが検出され、前記体温センサーユニットによりあらかじめ定めた時間内に人体の体温が検出されない場合、前記中央制御モジュールが前記出入管理監視制御モジュールを駆動して前記セキュリティ作動状態にすることを特徴とする、請求項１に記載の電子タグセキュリティ装置。
【請求項４】
前記出入管理監視制御モジュールが前記セキュリティ作動状態にあるとき、前記検出モジュールが前記検出エリアで前記電子タグユニットを検出せず、かつ前記体温センサーユニットが人体の体温を検出した場合、前記中央制御モジュールが侵入異常信号を電子端末またはクラウドホストに発信することを特徴とする、請求項３に記載の電子タグセキュリティ装置。
【請求項５】
前記各検出モジュールが識別照合ユニットを含み、前記電子タグユニットが識別位置にあるとき、前記識別照合ユニットが識別対象画像をキャプチャしてデフォルト画像と照合を行うことを特徴とする、請求項１または３に記載の電子タグセキュリティ装置。
【請求項６】
前記中央制御モジュールが通知ユニットを含み、前記識別対象画像が前記デフォルト画像に適合する場合、前記通知ユニットが通知メッセージを電子端末またはクラウドホストに発信することを特徴とする、請求項５に記載の電子タグセキュリティ装置。
【請求項７】
前記中央制御モジュールが、前記識別対象画像を前記電子端末または前記クラウドホストに送信することを特徴とする、請求項６に記載の電子タグセキュリティ装置。
【請求項８】
前記識別対象画像が前記デフォルト画像と一致しない場合、前記中央制御モジュールが異常信号を電子端末またはクラウドホストに発信することを特徴とする、請求項５に記載の電子タグセキュリティ装置。
【請求項９】
前記中央制御モジュールが、前記識別対象画像を前記電子端末または前記クラウドホストに送信することを特徴とする、請求項８に記載の電子タグセキュリティ装置。
【発明の詳細な説明】
【技術分野】
【０００１】
本発明はセキュリティ装置に関し、特に、電子タグセキュリティ装置に関する。
【背景技術】
【０００２】
工商活動の発達に伴い、人と人の相互作用もより頻繁になり、加えて都市空間の取得は困難で、地価が高い都市においては空間の有効利用を達成するために、店舗や見本市は往々にして多くの部屋や独立した空間を設けて空間の使用における独立性と有効利用性を達している。しかしそうすることで建物または見本市会場の出入りや動線が複雑さを増してしまう。部屋や独立した空間が多くなればなるほど、どのように効率的に出入管理を行うかが改善が必要な問題となる。
【０００３】
セキュリティの出入管理システムでは、カードリーダーを通じて磁気テープカードまたはＲＦＩＤカード内に保存された識別データを読み取った後、セキュリティシステムに対して設定／解除を行う。前述のやり方は、磁気テープカードまたはＲＦＩＤカードの携帯を忘れる状況が発生しやすい。このほか、磁気テープカードまたはＲＦＩＤカードの紛失後、その人物は通常即座に磁気テープカードまたはＲＦＩＤカードの紛失に気づくことができない。
【発明の概要】
【発明が解決しようとする課題】
【０００４】
これに鑑み、本発明の目的は、電子タグセキュリティ装置を提供することにある。
【課題を解決するための手段】
【０００５】
本発明の電子タグセキュリティ装置は、出入管理監視制御モジュールと、複数の検出モジュールと、中央制御モジュールを含み、前記入管理監視制御モジュールが、セキュリティ作動状態とセキュリティ解除状態を備え、前記複数の検出モジュールがそれぞれ検出エリアを備え、前記検出エリア内で電子タグユニットを検出し、前記中央制御モジュールが、前記出入管理監視制御モジュール及び複数の検出モジュールと電気的に接続され、前記検出モジュールにより前記電子タグユニットが検出エリア内にあることが検出されると、前記出入管理監視制御モジュールを駆動してセキュリティ解除状態にし、前記検出モジュールにより前記検出エリアで電子タグユニットが検出されないと、前記出入管理監視制御モジュールを駆動してセキュリティ作動状態にする。
【０００６】
一実施態様において、前記出入管理監視制御モジュールは、制御ユニットとドアロックユニットを含み、前記出入管理監視制御モジュールが前記セキュリティ作動状態にあるとき、前記制御ユニットが前記ドアロックユニットを駆動してロック状態にし、前記出入管理監視制御モジュールがセキュリティ解除状態にあるとき、前記ドアロックユニットがロック状態にあり、前記電子タグユニットがドア開放位置にあることを前記検出モジュールが検出すると、前記制御ユニットが前記ドアロックユニットを駆動してロック状態を解除させる。
【０００７】
一実施態様において、前記各検出モジュールが電子タグ検出ユニットと体温センサーユニットを含み、電子タグ検出ユニットが前記電子タグユニットを検出し、前記体温センサーユニットが人体の体温を検出する。前記出入管理監視制御モジュールが前記セキュリティ解除状態にあるとき、前記電子タグ検出ユニットにより前記電子タグユニットが前記検出エリアから前記検出エリア外に移動されたことが検出され、前記体温センサーユニットによりあらかじめ定めた時間内に人体の体温が検出されない場合、前記中央制御モジュールが前記出入管理監視制御モジュールを駆動して前記セキュリティ作動状態にする。
【０００８】
一実施態様において、前記出入管理監視制御モジュールが前記セキュリティ作動状態にあるとき、前記検出モジュールが前記検出エリアで前記電子タグユニットを検出せず、かつ体温センサーユニットが人体の体温を検出した場合、前記中央制御モジュールが侵入異常信号を電子端末またはクラウドホストに発信する。
【０００９】
一実施態様において、前記各検出モジュールが識別照合ユニットを含み、前記電子タグユニットが識別位置にあるとき、前記識別照合ユニットが識別対象画像をキャプチャしてデフォルト画像と照合を行う。
【００１０】
これに基づき、前記中央制御モジュールは通知ユニットを含み、前記識別対象画像が前記デフォルト画像に適合する場合、前記通知ユニットが通知メッセージを電子端末またはクラウドホストに発信する。このほか、前記中央制御モジュールが通知メッセージを発信すると同時に、前記識別対象画像を電子端末またはクラウドホストに送信する。
【００１１】
さらに、前記識別対象画像が前記デフォルト画像と一致しない場合、前記中央制御モジュールが異常信号を電子端末またはクラウドホストに発信する。このほか、前記中央制御モジュールは前記通知メッセージを発信すると同時に、前記識別対象画像を電子端末またはクラウドホストに送信する。
【００１２】
一実施態様において、前記電子タグユニットが検出エリア外から検出エリア内に、または検出エリアから検出エリア外に移動されると、前記通知ユニットが通知メッセージを電子端末またはクラウドホストに発信する。
【発明の効果】
【００１３】
上述をまとめると、使用者は電子タグを備えた衣服を着用し、または電子タグ機能を備えた腕輪、腕時計または携帯電話を備えていれば、本発明の電子タグセキュリティ装置が使用者の行為に基づいて自動的にセキュリティ設定またはセキュリティ解除を行うことができ、簡単かつ便利である。
使用者が外出するとき、本発明の電子タグセキュリティ装置は自動的にセキュリティ設定を行うことができ、お年寄りや外出時にセキュリティ設定を忘れやすい使用者にとって、非常に便利な自宅のセキュリティが提供される。このほか、本発明の電子タグセキュリティ装置は通報機能も提供することができ、使用者が出勤するとき、自動的に出勤記録としたり、あるいは子供が帰宅したとき、自動的に保護者に通知したりすることができる。さらに、通報機能を通じて、使用者は人の出入状態を効果的に把握でき、侵入異常事件が発生した場合、すぐに関連処理スタッフまたはセキュリティスタッフに通知してその侵入異常事件を処理させるとともに、使用者に通知して知らせることができる。
【００１４】
以下の実施の形態で、本発明の詳しい特徴と利点について詳細に説明する。その内容は当業者が本発明の技術内容を理解してそれに基づき実施するに足るものであり、かつ本明細書に開示された内容、特許請求の範囲及び図面に基づき、当業者は本発明の目的及び利点を容易に理解できるであろう。
【図面の簡単な説明】
【００１５】
【図１】本発明の実施例１のブロック図である。
【図２】本発明の実施例１の室内構成を示す概略図である。
【図３】本発明の出入管理監視制御モジュールの実施態様を示すブロック図である。
【図４】本発明で人がドア開放位置に近づいた状態を示す平面図である。
【図５】本発明の実施例２のブロック図である。
【図６】本発明の実施例３のブロック図である。
【図７】本発明で人が識別位置にいる状態の概略図である。
【図８】本発明の実施例４のブロック図（一）である。
【図９】本発明の実施例４のブロック図（二）である。
【発明を実施するための形態】
【００１６】
＜実施例１＞
図１と図２を参照する。図１は本発明の電子タグセキュリティ装置の実施例１のブロック図であり、図２は室内構成を示す概略図である。電子タグセキュリティ装置１は出入管理監視制御モジュール２０、複数の検出モジュール３０、中央制御モジュール５０を含む。
【００１７】
出入管理監視制御モジュール２０は、セキュリティ作動状態とセキュリティ解除状態を備えている。ここで、セキュリティ作動状態とはセキュリティ回路が検出中の状態にあり、任意のドアや窓が開かれたり破壊されたりすると警報を発し、セキュリティ解除状態とはセキュリティ回路の検出が停止され、ドアや窓を人が自由に開閉できる状態である。
【００１８】
複数の検出モジュール３０は、それぞれ検出エリアＲ１を備え、検出エリアＲ１内で電子タグユニット７０が検出される。つまり、室内を複数の区域に区分し、各区域にそれぞれ検出モジュール３０を設置して、電子タグユニット７０が室内の検出エリアＲ１内にあるか否かを検出することができる。
【００１９】
本発明において、電子タグユニット７０は衣服、腕輪、腕時計、スマートフォン、またはその他携帯型モバイル端末とすることができる。あるいは出入管理カードと結合してもよく、つまり装着・携帯する物品上に電子タグ（ｅ−ｔａｇ）を設置して電子タグユニット７０を構成することができる。
【００２０】
中央制御モジュール５０は、出入管理監視制御モジュール２０及び複数の検出モジュール３０と電気的に接続され、検出モジュール３０により電子タグユニット７０が検出エリアＲ１内にあることが検出されると、出入管理監視制御モジュール２０を駆動してセキュリティ解除状態にし、検出モジュール３０により検出エリアＲ１に電子タグユニット７０が検出されないときは、出入管理監視制御モジュール２０を駆動してセキュリティ作動状態にする。
【００２１】
例えば、図２に示すように、検出エリアＲ１はオフィスエリアＲ１１であり、応接室Ｒ１１１、会議室Ｒ１１２、事務エリアＲ１１３等に分け、それぞれに検出モジュール３０を設置することができる。勤務時間に、電子タグユニット７０を持つ人が事務エリアＲ１１３（または応接室Ｒ１１１あるいは会議室Ｒ１１２）にいると、検出モジュール３０がオフィスエリアＲ１１に人がいることを検出し、中央制御モジュール５０が出入管理監視制御モジュール２０を駆動してセキュリティ解除状態にする。
勤務時間後、電子タグユニット７０を持つ人がオフィスエリアＲ１１を離れると、各検出モジュール３０がその検出エリアＲ１（即ち、応接室Ｒ１１１、会議室Ｒ１１２、事務エリアＲ１１３）で電子タグユニット７０を検出せず、中央制御モジュール５０が出入管理監視制御モジュール２０を駆動してセキュリティ作動状態に切り替え、セキュリティ自動設定の効果を達することができる。
【００２２】
本発明を住宅に用いる場合、居住者が装着・携帯する物品上に電子タグを設置して電子タグユニット７０を構成し、居住者が家を出ると、各検出モジュール３０がその検出エリアＲ１で電子タグユニット７０を検出せず、中央制御モジュール５０が出入管理監視制御モジュール２０を駆動してセキュリティ作動状態に切り替え、これによりセキュリティを自動設定することができ、お年寄りや子供、またはあわてて家を出た人がセキュリティを設定し忘れる問題を回避することができる。
【００２３】
一実施態様において、図３、図４に示すように、出入管理監視制御モジュール２０は制御ユニット２１とドアロックユニット２２を含み、そのうち、制御ユニット２１はドア上または窓上に設置されたドアロックユニット２２と電気的に接続される。出入管理監視制御モジュール２０がセキュリティ作動状態にあるとき、制御ユニット２１がドアロックユニット２２を駆動してロック状態にし、出入管理監視制御モジュール２０がセキュリティ解除状態にあるとき、ドアロックユニット２１はロック状態にあり、検出モジュール３０により電子タグユニット７０がドア開放位置Ｒ１０にあることが検出されると、制御ユニット２１がドアロックユニット２２を駆動してロック状態を解除する。
つまり、出入管理監視制御モジュール２０がセキュリティ作動状態またはセキュリティ解除状態のどちらにあっても、ドアロックユニット２１は通常ロック状態にあり、セキュリティ作動状態時にドアロックユニット２１のロック状態が解除されると、異常の発生を意味し、このとき中央制御モジュール５０が侵入異常信号を電子端末８０またはクラウドホスト９０に発信する。セキュリティ解除状態にあるときに電子タグユニット７０を持つ人がドア開放位置Ｒ１０まで移動すると、制御ユニット２１がドアロックユニット２２を駆動してロック状態を解除し、ドアの自動開放の効果を達することができる。ここで、ドア開放位置Ｒ１０は室内またはセキュリティ空間のドアロックユニット２２近くの一定距離の区域であり、電子タグユニット７０の検出により自動的にドアを開き、電子タグユニット７０を持つ人が出られるようにする。
【００２４】
本発明において、中央制御モジュール５０が侵入異常信号を電子端末８０に発信することは、中央制御モジュール５０がネットワークまたはその他通信方法を通じて侵入異常信号を使用者が設定した通信ソフトウェアアカウント、携帯電話番号等に送信し、使用者が即時に異常の発生を知ることができるようにすることを指す。
中央制御モジュール５０が侵入異常信号をクラウドホスト９０に発信することは、中央制御モジュール５０がネットワークまたはその他通信方法を通じて侵入異常信号をクラウドホスト９０に送信し、異常事件をクラウドホスト９０に記録するほか、クラウドホスト９０が異常事件を遠隔監視プラットフォーム９２に自動的に通知し、関連担当者（警備員、セキュリティ担当者など）に通報して、異常事件を即時に処理させることを指す。
【００２５】
＜実施例２＞
図５に本発明の電子タグセキュリティ装置の実施例２のブロック図を示す。本実施例と実施例１の違いは、検出モジュール３０の構成にあり、実施例１において、検出モジュール３０は検出エリアＲ１内の電子タグユニット７０を検出するが、本実施例において、検出モジュール３０はさらに人の体温を検出することができる。
【００２６】
ここで、検出モジュール３０は、電子タグ検出ユニット３１と体温センサーユニット３３を含み、電子タグ検出ユニット３１は検出エリアＲ１内の電子タグユニット７０を検出し、体温センサーユニット３３は感知エリア内の人体の体温を検出する。ここで、感知エリアは検出エリアＲ１と同じにできるが、本発明はこれに限らず、感知エリアは検出エリアＲ１と異なってもよく、感知エリアが検出エリアＲ１より大きい場合、感知エリア内に複数の電子タグ検出ユニット３１を設置し、感知エリアが検出エリアＲ１より小さい場合、検出エリアＲ１内に複数の体温センサーユニット３３を設置することができる。
【００２７】
出入管理監視制御モジュール２０がセキュリティ解除状態にあるとき、電子タグ検出ユニット３１により電子タグユニット７０が検出エリアＲ１から検出エリア外Ｒ５に移動したことが検出され、体温センサーユニット３３により予め定めた時間内に人体の体温が検出されないと、中央制御モジュール５０が出入管理監視制御モジュール２０を駆動してセキュリティ作動状態にする。
つまり、電子タグユニット７０を持つ人が検出エリアＲ１を出た後、電子タグ検出ユニット３１が電子タグユニット７０を検出しなくなり、このときさらに体温センサーユニット３３により人体の体温を検出し、人がいなくなったことを確定した後、中央制御モジュール５０が自動的にセキュリティ設定を作動させ、出入管理監視制御モジュール２０がセキュリティ作動状態となる。この後、ドアロックユニット２２のロック状態が解除されたり、体温センサーユニット３３が感知エリア内で人体の体温を検出したりした場合、いずれも異常が発生したことになり、このとき中央制御モジュール５０が侵入異常信号を電子端末８０またはクラウドホスト９０に発信する。
【００２８】
＜実施例３＞
図６と図７に本発明の電子タグセキュリティ装置の実施例３のブロック図と概略図を示す。本実施例と前述の実施例の違いは、検出モジュール３０の構成にあり、本実施例において、検出モジュール３０はさらに識別照合ユニット３４を備え、電子タグユニット７０が識別位置Ｒ１３にあるとき、識別照合ユニット３４が識別対象画像をキャプチャしてデフォルト画像と照合を行う。
ここで、識別位置Ｒ１３は室内またはセキュリティ空間のドアロックユニット２２近くの一定距離の区域、つまり、検出エリアＲ１中の特定位置であり、例えば建物入口箇所を識別位置Ｒ１３とし、ドアロックユニット２２のロック状態が解除されたとき、人がゲスト用出入管理カード（電子タグユニット７０）でドアを開けて検出エリアＲ１に進入し、このとき識別照合ユニット３４が人の画像をキャプチャしてデフォルト画像と照合を行う。前述の建物入口箇所は識別位置Ｒ１３の例として挙げたまでであり、識別位置Ｒ１３は窓の箇所またはその他人が検出エリアＲ１に進入する位置に定義することができる。
【００２９】
識別対象画像がデフォルト画像と一致しない場合、中央制御モジュール５０が異常信号を電子端末８０またはクラウドホスト９０に発信する。つまり、識別照合ユニット３４がキャプチャした人の画像の識別後、デフォルト画像と一致しない場合、この人物は事前に進入が許可された人ではないことを表し、このため、中央制御モジュール５０は異常信号を電子端末８０に発信し、使用者にこの異常事件の発生を即時に知らせ、かつ異常信号をクラウドホスト９０に送信して記録する。
このほか、中央制御モジュール５０は識別対象画像を電子端末８０またはクラウドホスト９０に同時に送信し、使用者が即時にこの人物の身分を判断したり、電子端末８０を介してクラウドホスト９０に接続し、異常事件及びその画像を検索したりすることができる。
【００３０】
ここで、識別照合ユニット３４は撮影ユニットと照合ユニットから構成し、撮影ユニットで画像をキャプチャして照合ユニットで照合を行うことができるが、本発明はこれに限定されず、識別照合ユニット３４は撮影ユニットだけとして、画像をキャプチャした後、中央制御モジュール５０に送信して照合を行ってもよい。
【００３１】
さらに、前述の説明において、識別照合ユニット３４がキャプチャする画像は写真またはビデオとすることができ、このほか、前述の説明で述べたデフォルト画像は、中央制御モジュール５０の内蔵ストレージユニット５３に保存するか、またはクラウドホスト９０に保存することができるが、本発明はこれらに限定されない。
【００３２】
＜実施例４＞
図８に本発明の電子タグセキュリティ装置の実施例４のブロック図を示す。本実施例と前述の実施例の違いは、中央制御モジュール５０の構成にあり、本実施例において、中央制御モジュール５０はさらに通知ユニット５５を備えている。
【００３３】
一実施態様において、電子タグユニット７０が検出エリア外から検出エリアＲ１内に、または検出エリアＲ１から検出エリア外に移動すると、通知ユニット５５が通知メッセージを電子端末８０またはクラウドホスト９０に送信する。つまり、検出モジュール３０が電子タグ検出ユニット３１または電子タグ検出ユニット３１と体温センサーユニット３３で構成されるとき、電子タグユニット７０を持つ人が検出エリアＲ１を出た後、電子タグ検出ユニット３１が電子タグユニット７０を検出しなくなり、通知ユニット５５が通知メッセージを電子端末８０またはクラウドホスト９０に送信する。
例えば電子端末８０は記録器とすることができ、異なる電子タグユニット７０は異なるシリアルナンバーを有するため、記録器で電子タグユニット７０を持つ人が検出エリアＲ１を出た時間を記録して退勤時間の記録に用いることができる。同様に、出勤時間の記録に用いることもできる。
【００３４】
このほか、もう１つの応用として、電子タグユニット７０を持つ子供が帰宅する（即ち、検出エリアＲ１に進入する）と、通知ユニット５５が通知メッセージを電子端末８０に送信し、電子タグユニット７０を持つ家庭のほかの居住者が帰宅する（即ち、検出エリアＲ１に進入する）と、通知ユニット５５は通知メッセージを電子端末８０に送信しないようにすることができ、これにより、帰宅通知の機能を達成でき、保護者が子供の帰宅時間を把握することができる。
【００３５】
本発明において、受信側の違いに応じ、通知メッセージはショートメッセージサービス、音声メッセージ、電子メール、プッシュ通知またはプロセッサが処理可能な電子信号等とすることができるが、本発明はこれらに限定されない。
【００３６】
図９に示すように、一実施態様において、検出モジュール３０はさらに識別照合ユニット３４（前述と同じく、撮影ユニットと照合ユニットから構成でき、撮影ユニットにより画像をキャプチャして照合ユニットで照合を行う、または撮影ユニットのみとして、画像のキャプチャ後、中央制御モジュール５０に送信して照合を行う）を備え、識別対象画像がデフォルト画像と一致する場合、通知ユニット５５が通知メッセージを電子端末８０またはクラウドホスト９０に送信する。
例えば、保護者が子供の画像をデフォルト画像に設定した場合、電子タグユニット７０を持つ子供が帰宅する（即ち、検出エリアＲ１に進入する）と、子供の画像がデフォルト画像と一致するため、通知ユニット５５が通知メッセージを電子端末８０に送信し、電子タグユニット７０を持つ家庭の他の居住者が帰宅する（即ち、検出エリアＲ１に進入する）と、その画像はデフォルト画像と一致しないため、通知ユニット５５は通知メッセージを電子端末８０に送信せず、これにより、子供が帰宅したときに、保護者に自動通知する効果を達することができる。
このほか、通知ユニット５５は通知メッセージを保護者に送信するほか、同時に検出モジュール３０がキャプチャした子供の画像を保護者に送信し、子供が帰宅したときの状態を保護者が即時に把握できるようにすることもできる。
【００３７】
以上をまとめると、使用者は電子タグを備えた衣服を着用したり、電子タグ機能を備えた腕輪、腕時計、携帯電話を身に付けたりしていれば、本発明の電子タグセキュリティ装置は使用者の行為に基づいて自動的にセキュリティ設定またはセキュリティ解除を行うことができ、簡単で便利である。使用者が外出するとき、本発明の電子タグセキュリティ装置はセキュリティ設定を自動的に行うことができ、お年寄りや出かけるときにセキュリティ設定を忘れやすい使用者にとって、非常に便利な自宅のセキュリティを提供することができる。
このほか、本発明の電子タグセキュリティ装置は通報機能を提供することができ、使用者が出勤するとき、自動的に出勤記録としたり、あるいは子供が帰宅したとき、自動的に保護者に通知したりすることができる。さらに、通報機能を通じて、使用者は人の出入状態を効果的に把握でき、侵入異常事件が発生した場合、すぐに関連担当者または警備員に通知してその侵入異常事件を処理させ、かつ使用者に知らせることができる。
【００３８】
本発明の技術的内容は、好ましい実施例で上記通り開示され、そのような実施例により本発明の保護範囲が限定されるべきものではなく、当業者が本発明の精神から離れることなく種々の変更及び改変を為し得ることは、本発明の範囲に含めるものであるのが勿論である。よって本発明の保護範囲は、本明細書に添付する特許請求の範囲で定義しているものを基準とする。
【符号の説明】
【００３９】
１        電子タグセキュリティ装置
２０      出入管理監視制御モジュール
２１      制御ユニット
２２      ドアロックユニット
３０      検出モジュール
３１      電子タグ検出ユニット
３３      体温センサーユニット
３４      識別照合ユニット
５０      中央制御モジュール
５３      ストレージユニット
５５      通知ユニット
７０      電子タグユニット
８０      電子端末
９０      クラウドホスト
９２      監視プラットフォーム
Ｒ１      検出エリア
Ｒ１０    ドア開放位置
Ｒ１１    オフィスエリア
Ｒ１１１  応接室
Ｒ１１２  会議室
Ｒ１１３  事務エリア
Ｒ１３    識別位置
Ｒ５      検出エリア外
【図１】
2016110615.tif 000003
【図２】
2016110615.tif 000004
【図３】
2016110615.tif 000005
【図４】
2016110615.tif 000006
【図５】
2016110615.tif 000007
【図６】
2016110615.tif 000008
【図７】
2016110615.tif 000009
【図８】
2016110615.tif 000010
【図９】
2016110615.tif 000011